(57)【要約】【課題】  一度使用した鍼を同じ患者に再び施術するために指で把持する際、極めて容易に１本のみを把持することができるとともに、抜き取った鍼の本数を目視することにより簡単に把握・確認することができ、ひいては患者に施術した鍼の抜き忘れも防止することができる新規な鍼灸針の支持具を提供する。【解決手段】  直線状に成形された鍼Ｎの先端側を刺入することができる素材により少なくとも上面が平面とされている鍼刺入部材２と、この鍼刺入部材２の上面には、１本の鍼が刺入される位置を示す刺入位置表示部２ａが表示されている。 【選択図】  図１
2012075769.tif 000002
【特許請求の範囲】
【請求項１】
直線状に成形された鍼の先端側を刺入することができる素材により少なくとも上面が平面とされている鍼刺入部材と、この鍼刺入部材の上面には、１本の鍼が刺入される位置を示す刺入位置表示部が表示されていることを特徴とする鍼灸針の支持具。
【請求項２】
前記鍼刺入部材は底板部材に支持され、この底板部材は、上記鍼刺入部材の底面積よりも広い面積を有してなるとともに該鍼刺入部材を形成する素材に比べて硬質な素材により板状に成形されていることを特徴とする請求項１記載の鍼灸針の支持具。
【請求項３】
前記鍼刺入部材の周囲は、該鍼刺入部材を形成する素材に比べて硬質な素材により成形されるとともに上端は該鍼刺入部材の上面と面一とされている側壁部により囲まれていることを特徴とする請求項１又は２記載の何れかの鍼灸針の支持具。
【請求項４】
前記鍼刺入部材の側方には、鍼を患者の身体に刺入する際に使用される鍼管の下端を該鍼管が起立した状態で支持する鍼管支持部が形成されていることを特徴とする請求項２又は３記載の何れかの鍼灸針の支持具。
【発明の詳細な説明】
【技術分野】
【０００１】
本発明は、鍼治療に用いられる鍼灸針（以下鍼と言う。）を、支持させておく際に使用される鍼灸針の支持具に関するものである。
【背景技術】
【０００２】
治療院等で施術される鍼治療においては、複数の鍼を患者の身体に刺入することにより行われる。例えば、患者の全身を鍼治療する場合には、先ず、患者が腹臥位の状態で鍼を刺入し、数分から数十分そのまま患者に刺入した状態で置鍼し、その後、これら施術した鍼を全て抜き取り、その後に仰臥位の状態で鍼を刺入する場合が多い。そして、こうした一連の施術を行う過程においては、上記腹臥位の状態で抜き取られた鍼は、これまで、トレー，シャーレ又はパレット等のように、上方に開口が形成された容器内に一時的に収容し、仰臥位の状態となった患者に、上記容器からそれぞれの鍼を取り出し施術している。
【発明の概要】
【発明が解決しようとする課題】
【０００３】
しかしながら、上述した容器は、個々の鍼が横向きの状態で収容される構造であるために、以下に述べる種々の課題を有している。先ず、鍼を再び患者に施術する際、施術者が上記容器から１本の鍼のみを指で把持することは容易ではない。特に、近年の鍼の外径は患者の痛みを緩和する等の目的から極めて細いものが多く、このために上記容器から１本を把持する作業は容易ではない。また、最初の施術に使用した鍼の本数は、施術者が記憶しているものの、実際に抜き取った鍼の本数は、上記容器を目視しても（２〜３本の鍼であれば兎も角、その本数が多ければ多いほど）容易に確認することができない。すなわち、上述したように例えば、腹臥位の状態から仰臥位の状態となった後に再び鍼を施術する場合、施術者としては、腹臥位の状態で施術された鍼を抜き忘れることを厳に防止する必要があり細心の注意を払わなければならないところ、抜き取った鍼の数は、その使用本数が多ければ多いほど上記容器からそれを確認することは不能である。
【０００４】
そこで、本発明は、上述した鍼の施術の際に容器を使用することにより生ずる種々の課題に鑑みて提案されたものであって、一度使用した鍼を同じ患者に再び施術するために指で把持する際、極めて容易に１本のみを把持することができるとともに、抜き取った鍼の本数を目視することにより簡単に把握・確認することができ、ひいては患者に施術した鍼の抜き忘れも防止することができる新規な鍼灸針の支持具を提供することを目的とするものである。
【課題を解決するための手段】
【０００５】
本発明は、上記課題を解決するために提案されたものであって、第１の発明（請求項１記載の発明）は、直線状に成形された鍼の先端側を刺入することができる素材により少なくとも上面が平面とされている鍼刺入部材と、この鍼刺入部材の上面には、１本の鍼が刺入される位置を示す刺入位置表示部が表示されていることを特徴とするものである。
【０００６】
上記第１の発明に係る鍼灸針の支持具では、直線状に成形された鍼の先端側を刺入することができる素材により少なくとも上面が平面とされてないる鍼刺入部材が構成要素とされている。したがって、この鍼刺入部材の上面に鍼の先端側を刺入することにより、個々の鍼は該鍼刺入部材の上面から上方に起立した状態で支持される。したがって、再度同じ患者に鍼を施術する際、１本の鍼を極めて容易に把持することができ、作業性も向上させることができる。また、この第１の発明では、上記鍼刺入部材の上面は平面とされていることから、後述する刺入位置表示部を例えば印刷する場合においても容易である。
【０００７】
さらに、この第１の発明では、上記鍼刺入部材の上面に刺入位置表示部が表示されている。この刺入位置表示部は、１本の鍼が刺入される部位を示すものであり、数字，文字又は記号からなるものや、複数の枠からなるものの少なくも何れかであり、前者が表示されている場合には、上記数字や文字等により容易に、刺入された鍼の本数を確認することができる。特に、アラビア数字や漢数字等の数字が表示されており、若い数字から鍼を順番に刺入する方法を使用者（施術者又はその補助者）が採用すれば、鍼の本数を数えることもなくその本数を瞬時に確認することができる。一方、刺入位置表示部が、１本の鍼が刺入される部位を表示する複数の枠からなるものである場合であっても、容易に鍼の本数を確認することができる。例えば、上記刺入位置表示部が、行と列とからなるマトリクス（枠）で構成されている場合には、行と列の掛け算により、数字が表示されていない場合であっても、鍼の数を容易に確認することができる。
【０００８】
なお、この第１の発明において、鍼刺入部材を構成する素材は、直線状に成形された鍼の先端側を刺入することができる（刺し込むことができる）素材であり、例えば、軟質樹脂やフェルトや、或いは発泡ポリプロピレン、発泡ポリエチレン又は発泡ウレタンなどの発泡体等を使用することができる。但し、鍼を刺入しその後抜き取った際に、素材が割れたり破断したりすることにより、その破片が付着する素材ではないものを選択することが好ましい。また、感染症その他を考慮して、例えばエチレンオキサイドガス等を利用した滅菌処理を行う場合が多いことから、鍼刺入部材を構成する素材は、こうした滅菌処理にも耐え得る素材とすることが好ましい。また、この鍼刺入部材の形状は、少なくとも上面が平面とされていれば、角柱状や円筒状、或いは、錐台状その他の形状であっても良い。また、上記刺入位置表示部として、１本の鍼が刺入される部位を表示する複数の枠からなるものを採用した場合において、各枠の形状は、円形状、方形状その他任意の形状を選択することができる。先に記載したように、枠からなる刺入位置表示部として、上記マトリクス状とした場合には、数字等が表示されていない場合であっても患者から抜き取って上記鍼刺入部材に刺入された鍼の本数を計算し易い。また、上記第１の発明を構成する刺入位置表示部は、上記複数の枠と、これらの枠内に表示された数字とから構成されているものであっても良い。
【０００９】
また、第２の発明（請求項２記載の発明）は、上記第１の発明において、前記鍼刺入部材は、底板部材に支持され、この底板部材は、上記鍼刺入部材の底面積よりも広い面積を有してなるとともに該鍼刺入部材を形成する素材に比べて硬質な素材により板状に成形されていることを特徴とするものである。
【００１０】
この第２の発明を構成する底板部材は、少なくとも鍼刺入部材を形成する素材に比べて硬質な素材により板状に成形されてなるものであり、その素材としては、例えば、紙、樹脂、木或いは金属等を挙げることができる。なお、上記鍼刺入部材は、この鍼灸針の支持具の安定性を確保するため、上記底板部材の中央に位置していることが望ましい。
【００１１】
また、第３の発明（請求項３記載の発明）は、上記第１の発明又は第２の発明の何れかにおいて、前記鍼刺入部材の周囲は、該鍼刺入部材を形成する素材に比べて硬質な素材により成形されるとともに上端は該鍼刺入部材の上面と面一とされている側壁部により囲まれていることを特徴とするものである。
【００１２】
この第３の発明に係る鍼灸針の支持具によれば、鍼刺入部材の周囲は上記側壁部により保護されることから、鍼刺入部材として利用する素材の選択肢を広げることが可能となる。すなわち、鍼刺入部材の少なくとも周囲は、上記側壁部により囲まれ、また前述した底板部材が構成要素とされている場合には、該鍼刺入部材の底面も該底板部材により囲まれた状態となりその空間内に収容された状態となることから、鍼刺入部材は弾力性が極めて高いスポンジ状の素材や（底板部材が構成要素である場合には）ゲル（ジェル）状の素材までも使用することができる。また、この第３の発明では、上記側壁部の上端は該鍼刺入部材の上面と面一とされていることから、複数の鍼灸針の支持具を上下に重ね合わせた場合、或いは上下に重ね合わせて所定のパッケージに収納した場合であっても、鍼刺入部材が圧縮され潰れてしまったり変形したりして使用勝手が悪化することを防止することができる。
【００１３】
また、第４の発明（請求項４記載の発明）は、上記第２又は第３の発明の何れかにおいて、前記鍼刺入部材の側方には、鍼を患者の身体に刺入する際に使用される鍼管の下端を該鍼管が起立した状態で支持する鍼管支持部が形成されていることを特徴とするものである。
【００１４】
なお、上記鍼管支持は、鍼を患者の身体に刺入する際に使用される鍼管の下端を鍼管が起立した状態で支持するものであれば良く、該鍼管内に挿入される部位を有したものや、逆に鍼管が挿入される管状の部位を備えたものであっても良い。
【発明の効果】
【００１５】
上記第１の発明（請求項１記載の発明）では、直線状に成形された鍼の先端側を刺入することができる素材からなる鍼刺入部材が構成要素とされていることから、再度同じ患者に鍼を施術する際、１本の鍼を極めて容易に把持することができ、作業性も向上させることができる。また、この第１の発明では、上記鍼刺入部材の上面に刺入位置表示部が表示されていることから、この鍼灸針の支持具に支持された鍼の数を容易に確認することができる。
【００１６】
また、第２の発明（請求項２記載の発明）では、鍼刺入部材は、該鍼刺入部材の底面積よりも広い面積を有してなる底板部材の上面に支持されていることから、鍼を鍼刺入部材に刺入（突き刺す）場合も、刺入された鍼を取り除く場合にも安定させることができる。
【００１７】
また、第３の発明（請求項３記載の発明）では、上記鍼刺入部材の周囲は側壁により囲まれ保護されることから、鍼刺入部材として利用する素材の選択肢を広げることが可能となる。また、この発明では、上記側壁部の上端は該鍼刺入部材の上面と面一とされていることから、複数の鍼灸針の支持具を上下に重ね合わせた場合、或いは上下に重ね合わせて所定のパッケージに収納した場合であっても、鍼刺入部材が圧縮され潰れてしまったり変形したりして使用勝手が悪化することを防止することができる。
【００１８】
また、第４の発明（請求項４記載の発明）によれば、鍼刺入部材から抜き取った鍼を再び患者の身体に刺入する際、その施術に使用される鍼管を簡単に把持することができる。
【図面の簡単な説明】
【００１９】
【図１】本発明の実施の形態に係る鍼灸針の支持具の分解斜視図である。
【図２】図１に示す鍼灸針の支持具の平面図である。
【図３】図１に示す鍼灸針の支持具の断面図である。
【発明を実施するための形態】
【００２０】
以下、本発明を実施するための最良の形態に係る鍼灸針の支持具（以下、支持具と言う。）について、図面を参照しながら詳細に説明する。
【００２１】
この実施の形態に係る支持具１は、図１に示すように、鍼Ｎが突き刺される鍼刺入部材２と、この鍼刺入部材２が収容される収容体３とから構成されている。
【００２２】
上記鍼刺入部材２は、スポンジ（発泡体）からなるものであって、この実施の形態においては、立方体状に成形されており、図１及び図２に示すように、平面とされた上面には、刺入位置表示部２ａが表示（印刷）されている。この刺入位置表示部２ａは、図２に示すように、行と列がそれぞれ４つのマトリクス２ｂ（全部で１６個の枠部）と、このマトリクス２ｂ内に表示された「１」〜「１６」の数字２ｃとから構成されている。
【００２３】
また、上記収容体３は、樹脂材料により一体成形されているものであり、平板状に成形されたベース板部３ａと、このベース板部３ａの中央に配置され上記鍼刺入部材２が収容される収容部３ｂと、上記ベース板部３ａの上面であって左端側から上方に起立した鍼管支持部３ｃとから構成されている。上記ベース板部３ａは、平面形状が正方形状とされ、このベース板部３ａの中央に、上記収容部３ｂが形成されている。この収容部３ｂの高さは、上記鍼刺入部材２の高さと同じ高さとなされ（図３参照）ている。なお、この収容部３ｂは、鍼刺入部材２の周りを囲むものであり、本発明を構成する側壁部である。また、上記鍼管支持部３ｃは、この実施の形態では、先端側にはテーパ面３ｄが形成された円柱状の凸部である。
【００２４】
したがって、上述した実施の形態に係る支持具１によれば、患者に刺入した複数の鍼Ｎを、施術者やその補助者等が、図２に示す数字「１」から「２」と言うように、若い数字から順番に突き刺して支持させていく（図３参照）ことにより、何本の鍼を患者から抜き取ったかを即座に把握することができる。したがって、例えば、腹臥位の状態から仰臥位の状態となった後に再び鍼を施術する場合、施術者は、この支持具１を目視すれば即座に鍼Ｎの数を確認することができ、鍼Ｎの抜き忘れを防止することができる。
【００２５】
特に、この実施の形態に係る支持具１では、ベース板部３ａが構成要素とされていることから、鍼刺入部材２の上面から鍼Ｎを不用意に突き刺しても、その先端は必ず上記ベース板部３ｂの上面に当接することとなる。また、鍼刺入部材２の周囲は、収容部３ｂにより囲まれていることから、該鍼刺入部材２の形状が外部の力により変形したり破断したりする可能性を防止することができ、また、この支持具１同士を重ねた場合でも、収容体３の高さは鍼刺入部材２の高さと同じであることから、鍼刺入部材２が押し潰されて変形することを回避することができる。
【００２６】
また、上記支持具１では、鍼管支持部３ｃが形成されており、図３に示すように、鍼管Ｐはベース板部３ａから起立した状態で支持される。したがって、この支持具１によれば、鍼刺入部材２に突き刺した鍼Ｎを再び同一患者に施術する際に使用する鍼管Ｐを簡単に摘んで使用することができる。
【００２７】
なお、上記実施の形態に係る支持具１では、鍼刺入部材２以外に、収容体３も構成要素としたが、本発明は、該鍼刺入部材２のみからなるものであっても良いことは言うまでもない。
【符号の説明】
【００２８】
１  鍼灸鍼
２  鍼刺入部材
２ｂ  マトリクス（枠）
２ｃ  数字
３  収容体
３ａ  ベース板部
３ｂ  収容部
３ｃ  鍼管支持部
Ｎ  鍼
Ｐ  鍼管
【図１】
2012075769.tif 000003
【図２】
2012075769.tif 000004
【図３】
2012075769.tif 000005